(57)【要約】      （修正有）【課題】燃え残り線香を簡単に除去できる燃え残り線香除去具を提供する。【解決手段】支持体１から伸びる先端側に、１１方向に延出する煙火状部２ａ〜２ｋが設けられ、且つ該煙火状部２ａ〜２ｋの中心に孔部３が穿設されている。さらに、支持体１の他端側へ伸びる部分が、孔部３近辺で少し折り曲げられており、煙火状部２ａ〜２ｋも、孔部３を中心に、夫々の延出する方向で、支持体１の折り曲げ向きと同様な側に折り曲げられている。【選択図】図１
0003229316.tif 000002
【実用新案登録請求の範囲】
【請求項１】
支持体から伸びる先端側に、少なくとも３方向に延出する煙火状部が設けられていることを特徴とする燃え残り線香除去具。
【請求項２】
上記支持体の他端側へ伸びる部分が、特定の方向に折り曲げられており、また、上記煙火状部も、その先端根元側で、該支持体の折り曲げと同様に、夫々の延出方向で、支持体の折り曲げ向きと同様な側に折り曲げられていることを特徴とする請求項１記載の燃え残り線香除去具。
【請求項３】
上記煙火状部の中心に孔部が穿設されていることを特徴とする請求項１又は２記載の燃え残り線香除去具。
【考案の詳細な説明】
【技術分野】
【０００１】
本考案は、線香立てなどの内部に貯まった燃え残り線香を除去する燃え残り線香除去具に関する。
【背景技術】
【０００２】
線香立てなどに立てた線香の火が燃え尽きる頃に、線香立てなどの灰内部に燃え残った線香が空気に触れなかった部分だけ残る。次第にそれが溜まって、何回かそれを繰り返すうちに、その残滓がために、線香を立てにくくなる。よって、下記に示す様な文献に、その燃え残り線香を取り除くための燃え残り線香除去具が開示されている。
【先行技術文献】
【特許文献】
【０００３】
【特許文献１】実用新案登録第３１２６２２０号
【特許文献２】特開２０１０−３１７号
【考案の概要】
【考案が解決しようとする課題】
【０００４】
しかし、特許文献１の構成では、柄の先端に着く、燃え残り線香を取り除くための部分が鍬状になっており、鍬状の部分の幅が広いと、間口が狭い線香立ての中で燃え残り線香を掬い出す時に、直ぐに線香立ての内部の縁に当たってしまい、その取り回しが難しい。逆に鍬状の部分の幅が狭いと、引っかかる本数も少なく、それらを取り除くのに時間が掛かってしまう。
【０００５】
また、特許文献２の構成では、シャベルの様な形状の底が網状になっており、線香立て内に先端から突っ込んで、燃え残り線香を掬い上げ、網状部で線香の灰だけふるい落として、燃え残り線香を取り除くようになっている。しかしこれもシャベル状の形状の横幅が広いと、上記と同様な問題があり、またその横幅が狭いと、線香立ての隅々まで燃え残り線香を取り出すのに、何回も同じ動作を繰り返さねばならず、全部の取り出しには、非常な手間と時間がかかると言う問題があった。さらに先端を線香立て内に突っ込む際に、かなり奥まで突っ込まないと、思ったように燃え残り線香を取り出すことができず、結局深く突っ込んだがために、周囲に灰をまき散らしてしまい、非常にその扱いが難しかった。
【０００６】
本考案は、以上のような問題に鑑み創案されたものであって、燃え残り線香を簡単に除去できる燃え残り線香除去具を提供せんとするものである。
【課題を解決するための手段】
【０００７】
そのため本考案に係る燃え残り線香除去具は、支持体から伸びる先端側に、少なくとも３方向に延出する煙火状部が設けられていることを基本的特徴としている。
【０００８】
該煙火状部とは、打ち上げ花火の様に、夫々が違った方向に延出した梁の様な状態（放射状）になっていることを言い、その延出部分の形状は特に特定はない。また少なくとも３方向としているのは、２方向では、燃え残り線香が煙火状部にそもそも引っかからないからである。その素材は、特に限定はないが、後述する実施例に記載の様に、拾い上げるものがもし高温だった場合を考えると、金属でできていることが好ましい。
【０００９】
このように少なくとも３方向に延出する煙火状部が設けてあると、その延出した煙火状部に燃え残り線香が載り、各煙火状部の隙間から灰は下方に落ちるため、該燃え残り線香だけが外部に排出することが簡単にできる様になる。また上記煙火状部が広がっているのがその形状の要であるため、その支持体と並んで、灰の中に突っ込むだけで燃え残り線香を掬い上げることが可能であり、その取り回しは、上記特許文献の構成に比べて非常に簡単になる。
【００１０】
本考案の２つ目の構成は、上記支持体の他端側へ伸びる部分が、特定の方向に折り曲げられており、また、上記煙火状部も、その先端根元側で、該支持体の折り曲げと同様に、夫々の延出方向で、支持体の折り曲げ向きと同様な側に折り曲げられていることを特徴としている。このような構成とすることで、全体の形状がすり鉢状となり、支持体と煙火状部が平たい状態に比べて、該すり鉢状の形態の方が灰中に突っ込みやすくなり、灰に埋まった燃え残り線香をキャッチしやすくなる。
【００１１】
本考案の３つ目の構成は、上記煙火状部の中心に孔部を穿設してある構成である。上記構成では、少なくとも３方向に延出する煙火状部が設けられていると（また２つ目の構成の様に、上記支持体の他端側へ伸びる部分が、特定の方向に折り曲げられており、且つ、上記煙火状部も、その先端根元側で、該支持体の折り曲げと同様に、夫々の延出方向で、支持体の折り曲げ向きと同様な側に折り曲げられているとさらに）、その延出部に燃え残り線香が載り、灰は下方に落ちながら該燃え残り線香だけが外部に排出することが可能となるが、延出部の根元の中心に孔部が穿設してあると、その部分からも灰が下方に落ちやすくなり、これらの構成全体には灰が残らないようになる。
【００１２】
尚、上記支持体の他端側には柄を有する様にしても良い。上記煙火状部と支持体は一体的に設けられることが多いと考えられる（一体に設けることに限定はしないが）が、そこが金属で出来ていた場合、燃え残った線香の高熱が伝搬しやすいので、別体の柄（素材としては例えば木材やプラスチックなど種々のものを使用することができる）を設けることで熱の伝搬を遮できるようになる。また支持体そのものが金属で出来ており、別体の柄がない場合には、手の中で滑って、うまく取り回しが出来なくなるので、やはりそれとは別体の柄が設けられる方が好ましい。
【考案の効果】
【００１３】
本考案の燃え残り線香除去具によれば、延出した煙火状部に燃え残り線香が載り、灰は下方に落ちながら該燃え残り線香だけが外部に排出することが簡単にできる様になり、またこの除去具自身の構成を小さいものにすることができため、ハンドリングも簡単になるという優れた効果を奏し得る。
【００１４】
また、上記支持体の他端側へ伸びる部分が、特定の方向に折り曲げられており、また、上記煙火状部も、その先端根元側で、該支持体の折り曲げと同様に、夫々の延出方向で、支持体の折り曲げ向きと同様な側に折り曲げられていると、全体の形状がすり鉢状となり、支持体と煙火状部が平たい状態に比べて、該すり鉢状の形態の方が灰中に突っ込みやすくなって、灰に埋まった燃え残り線香をキャッチしやすくなる。
【００１５】
さらに、煙火状部の中心に孔部を穿設してあると、該孔部からも灰が下方に落ちやすくなる。
【図面の簡単な説明】
【００１６】
【図１】本考案の一実施例を示す燃え残り線香除去具を平たくしたままの状態を示す本体展開図である。
【図２】上記本体が展開した状態から煙火状部に少し角度をつけて折り曲げ、実際に使用できるようにした状態を示す説明図である。
【図３】少し角度をつけて折り曲げられ、煙火状部を実際の線香立ての灰の中に突っ込み、燃え残り線香を載せて引き上げる瞬間の説明図である。
【図４】実際に上記煙火状部に載った燃え残り線香を引き上げた状態を示す説明図である。
【考案を実施するための形態】
【００１７】
以下、本考案の実施の形態を図示例と共に説明する。
【実施例１】
【００１８】
図１〜図４は、本考案に係る燃え残り線香除去具の一実施例を示す図面である。
【００１９】
本実施例に係る燃え残り線香除去具だけを展開した状態にして示せば、図１のようになる。即ち、金属製の支持体１から伸びる先端側に、１１の方向に（放射状に）延出する煙火状部２ａ〜２ｋが設けられている。
【００２０】
また、図２に示すように、上記支持体１の他端側へ伸びる部分が、後述する孔部３近辺で少し折り曲げられており、また、上記煙火状部２ａ〜２ｋも、孔部３を中心に、該図面上では支持体１の延出する方向に、折り曲げられている。このような構成にすることで、全体の形状がすり鉢状となり、支持体１と煙火状部２ａ〜２ｋが平たい状態に比べて、該すり鉢状の形態の方が灰中に突っ込みやすくなる。また灰に埋まった燃え残り線香を、支持体１及び煙火状部２ａ〜２ｋの隙間でキャッチしやすくなる。
【００２１】
そして、上記煙火状部２ａ〜２ｋの中心に孔部３が穿設されている。上記構成では、１１方向に延出する煙火状部２ａ〜２ｋが設けられているので、その延出部に燃え残り線香が載り、灰は下方に落ちながら該燃え残り線香だけが外部に排出しやすくなるが、延出部の根元の中心に上記孔部３が穿設してあると、その部分からも灰が下方に落ちやすくなる。従って、これらの構成全体では、除去具上に、灰が残らないようになる。
【００２２】
さらに、この支持体１の他端側は、木製の柄４の先端に埋め込まれており、この柄４を手にもって使うことになる。
【００２３】
図３は、線香立て１０の灰中に、すり鉢状となった上記煙火状部２ａ〜２ｋをその先端側から突っ込み、少し前後・左右に自由に移動させて、その灰中の表層部にある燃え残り線香をこの煙火状部２ａ〜２ｋ及び／又は支持体１の隙間に引っ掛け、該燃え残り線香を取り出そうとしている状態を示している。
【００２４】
燃え残り線香は簡単に煙火状部２ａ〜２ｋ及び／又は支持体１の上方に載り、上記柄４を引き上げることで、容易に引き上げることができるようになる。
【００２５】
この際、煙火状部２ａ〜２ｋ及び／又は支持体１の上方に燃え残り線香が載り、灰は下方に落ちながら該燃え残り線香だけを外部に排出することが簡単にできる様になる。
【００２６】
また該煙火状部２ａ〜２ｋの下端がしぼんで上部に行くほど次第に広がっているすり鉢状の形状部分とそのすり鉢状の構成の一体になる上記支持体１の部分だけが、灰中に突っ込まれ、灰の中で掬い上げるのに必要最低限のものだけが動かされるという、極めてシンプルで小さなものを動かすだけで事足りるため、灰の中に突っ込むだけで燃え残り線香を掬い上げることができるようになる。また、その取り回しは、上記特許文献の構成などに比べてはるかに簡単になる。
【００２７】
このように、上記支持体１の他端側へ伸びる部分が、上記孔部３近辺で少し折り曲げられており、上記煙火状部２ａ〜２ｋも、孔部３を中心に、該図面上では夫々の延出方向に折り曲げられており、すり鉢状に形成されているので、支持体１と煙火状部２ａ〜２ｋが平たい状態に比べて、支持体１の他端側（本実施例では柄４の部分）を持って、灰の中に煙火状部２ａ〜２ｋ側を突っ込みやすくなり、灰に埋まった燃え残り線香をキャッチしやすくなる。
【００２８】
加えて、本実施例構成では、上記煙火状部２ａ〜２ｋの中心に、上述のように、孔部３が穿設されている。上記のように、１１方向（支持体１を含めると１２方向と見立てることもできる）に延出する煙火状部２ａ〜２ｋが設けられていると、その延出部に燃え残り線香が載り、灰は下方に落ちながら該燃え残り線香だけを外部に排出することができるが、延出部の根元の中心に孔部３が穿設してあるため、その部分からもさらに灰が下方に落ちることになり、掬い上げたときには、ほぼ燃え残り線香しかその上に載っていないので、外部に掬い上げることが簡単にできるようになる。
【００２９】
本構成では、上記支持体１の他端側に柄４が設けられている。そのため、その部分を手にもって、除去具全体を動かすことができるため、まず、該柄４自身がある程度の太さを持っていて、扱いやすい。また、支持体１と煙火状部２ａ〜２ｋが金属製であるため、その部分で燃え残り線香に火が残っていたとしても、その熱伝導は遮断され、手が火傷するようなこともない。さらに、仮にこの柄４の部分がないと、支持体１の他端を手で持って、該除去具を使うことになるが、その場合、手の中で滑って、うまく取り回しが出来なくなる。この柄４の構成が設けられることによって、その取扱いが楽になる。
【００３０】
図４は、上記図３のように扱って、燃え残り線香を、上記線香立て１０の外部に取り出した状態を示している。このように、上記煙火状部の数がある程度の数設けられており、上述のように、支持体１及び煙火状部２ａ〜２ｋが夫々の延出する方向に折り曲げられてすり鉢状になり、且つ支持体１と煙火状部２ａ〜２ｋの間には隙間が空いているので、燃え残り線香が、該支持体１及び煙火状部２ａ〜２ｋの隙間部分で引っ掛けやすく、その上に簡単に載り、また該除去具を引き上げる時に、煙火状部２ａ〜２ｋ及び／又は支持体１の各隙間と上記孔部３から容易に灰が下方に落ちて、燃え残り線香だけが取り出されることになる。
【００３１】
以上詳述した本実施例に係る燃え残り線香除去具の構成によれば、上記支持体１と煙火状部２ａ〜２ｋとが設けられ、且つ夫々特定の方向に折り曲げられている（支持体１の先端が、上記孔部３近辺で少し折り曲げられており、上記煙火状部２ａ〜２ｋも、孔部３を中心に、該図面上では支持体１の延出する方向に、折り曲げられている）ので、支持体１と延出した煙火状部２ａ〜２ｋの隙間に、燃え残り線香が簡単に載り、灰はそれらの隙間から下方に落ちながら該燃え残り線香だけが外部に排出することがたやすくできる様になる（支持体１と煙火状部２ａ〜２ｋが平たい状態に比べて、支持体１の他端側、即ち、本実施例では柄４の部分を持って、灰の中に煙火状部２ａ〜２ｋを突っ込みやすくなり、灰に埋まった燃え残り線香をキャッチしやすくなる）。またそのような構成により、この除去具自身の構成を小さいものにすることができため、ハンドリングも簡単になるという優れた効果を奏することができる。さらに、煙火状部２ａ〜２ｋの中心に孔部３が穿設されているため、該孔部３からも灰が下方に落ちやすくなる。
【００３２】
尚、本考案の燃え残り線香除去具は、上述の実施例にのみ限定されるものではなく、本考案の要旨を逸脱しない範囲内において種々変更を加え得ることは勿論である。
【産業上の利用可能性】
【００３３】
本考案の燃え残り線香除去具は、線香立ての中に残る燃え残り線香を掬い上げるだけではなく、この形状を大きなものにすれば、例えば、汚泥の中に含まれるゴミなどを外部に取り出す様な場合に用いられて、該ゴミなどを容易に取り去ることが可能となる。同様に、同じ形状ながら、全体の大きさや中心孔径を変えるなどすれば、猫砂からフンだけを除去するようなことも可能となる。このように、燃え残り線香の除去具としてだけではなく、他の除去具として利用することも可能となる。
【符号の説明】
【００３４】
１          支持体
２ａ〜２ｋ  煙火状部
３          孔部
４          柄
１０          線香立て
【図１】
0003229316.tif 000003
【図２】
0003229316.tif 000004
【図３】
0003229316.tif 000005
【図４】
0003229316.tif 000006